(57)【要約】      （修正有）【課題】キャリーケース本体の一側面に取り付けることができるように構成された底足がフックの形状へ変形可能に構成されているキャリー用底足を提供する。【解決手段】キャリーケース本体の一側面に取り付けることができるように構成されたキャリーケース用底足１であって、本体部１ａと、本体部１ａに対して摺動可能に組み付けられたスライド部１ｂと、を備え、本体部１ａの長手方向に沿ってスライド部１ｂが引き出されることにより、スライド部１ｂの一部が本体部１ａから突出するように構成されている。【選択図】図１
0003201092.tif 000002
【実用新案登録請求の範囲】
【請求項１】
キャリーケース本体の一側面に取り付けることができるように構成されたキャリーケース用底足であって、
本体部と、
上記本体部に対して摺動可能に組み付けられたスライド部と、
を備え、
上記本体部から上記スライド部の一部を突出させることができるように構成されていることを特徴とするキャリーケース用底足。
【請求項２】
上記スライド部は、上記本体部の長手方向に沿って摺動可能に構成されていることを特徴とする請求項１に記載のキャリーケース用底足。
【請求項３】
上記スライド部は、上記本体部内に収容されるように上記本体部に組み付けられていて、該スライド部が引き出される際に使われる摘みを上記本体部の外方へ臨むように備えることを特徴とする請求項１に記載のキャリーケース用底足。
【考案の詳細な説明】
【技術分野】
【０００１】
本考案は、キャリーケースの底足（グライド）に関し、詳しくは、フックの形状へ変形させることができるように構成されたキャリーケースの底足に関する。
【背景技術】
【０００２】
旅行や出張で出かける人は、多くの荷物が詰められたキャリーケースを牽引して移動する機会が多い。
【０００３】
例えば、キャリーケースを牽引しているときに土産物店やスーパーマーケット等の店舗で商品を購入した後に、一方の手でキャリーケースを牽引しつつ、もう一方の手で商品が入っている小袋を提げて移動しなければならない場合もある。
【０００４】
そのような場合に、キャリーケースの一側面にフック（鉤）状の部品を備えていれば、商品の袋等をすぐにフックに引っ掛けることができるので便利である。
【０００５】
特許文献１は、スーツケースを床に置くための台座の上側面に略Ｕ字形凹状のフック機能部が形成されていて、このフック機能部に小袋を引っ掛けることができることを開示している（図１等参照）。しかし、引用文献１のＵ字形凹状のフック機能部においては、Ｕ字形の形状の直線部分が薄くなっているので、この薄い部分に大きな荷重が加わることで、フック機能部が破損してしまう恐れがある。
【０００６】
また、起毛した絨毯等の上に置かれているキャリーケースを動かそうとするときに、引用文献１のＵ字形凹状のフック機能部では、起毛に絡まることがある。
【先行技術文献】
【特許文献】
【０００７】
【特許文献１】実用新案登録第３１８１８３８号
【考案の概要】
【考案が解決しようとする課題】
【０００８】
本考案は、フックの形状へ変形させることができるキャリーケース用底足であって、底足として使用する際には、キャリーケースを床面に置いたときに荷重で破損してしまう心配がないキャリーケース用底足を提示することを目的とする。
【課題を解決するための手段】
【０００９】
本考案のキャリーケース用底足は、キャリーケース本体の一側面に取り付けることができるように構成されたキャリーケース用底足であって、本体部と、本体部に対して摺動可能に組み付けられたスライド部と、を備え、本体部からスライド部の一部を突出させることができるように構成されていることを特徴とする。
【００１０】
一実施例においては、底足の本体部の長手方向に沿ってスライド部が摺動することができるように、スライド部は、例えば、該スライド部から延びる爪（突起）が本体部の内側に延在する溝に摺動可能に係合されることにより本体部に組み付けられている。
【００１１】
さらに一実施例においては、スライド部は、本体部内に収容されるように本体部に組み付けられていて、該スライド部が引き出される際に使われる摘み（タブ）を本体部の外方へ臨むように備えることを特徴とする。
【考案の効果】
【００１２】
本考案のキャリーケース用底足は、本体部とこれに組み付けられたスライド部とからなり、底足として使用される際に該底足の側面が割れ易いＵ字形の形状となってはいないので、底足を下にしてキャリーケースを置いたときに当該底足が破損する心配がない。加えて、起毛した絨毯の上に本考案の底足を使って置かれたキャリーケースを持ち上げるときにも該底足が絨毯に引っ掛かる心配がない。
【００１３】
また、底足の一部（スライド部）を摺動させて底足をフックの形状へ変形させた状態においては、小袋やポシェット等の軽いバッグを引っ掛けることができる。
【図面の簡単な説明】
【００１４】
【図１】本考案の底足が取り付けられたキャリーケースを示す斜視図。
【図２】本考案の底足の一実施例を示す側面図。
【図３】本考案の底足の他の実施例を示す斜視図。
【図４】本考案の底足を用いて床の上に置かれたキャリーケースを示す図。
【図５】本考案の底足をフックとして使用している状態を示す斜視図。
【考案を実施するための形態】
【００１５】
本考案のキャリーケース用底足について、添付の図面を参照しつつ説明する。なお、本明細書及び特許請求の範囲におけるキャリーケースとは、一般的な鞄やスーツケースの類を含むものとする。
【００１６】
図１は、キャリーケースの一側面に設けられた本考案のキャリーケース用底足１と、従来のキャリーケース用底足２とを示す。図１（ａ）は、伸縮自在のキャリーハンドル４が伸長された状態のキャリーケースを示す。図１（ｂ）は、図１（ａ）に示した本考案のキャリーケース用底足１を拡大して示す図である。
【００１７】
本考案のキャリーケース用底足１は、本体部１ａと、スライド部１ｂとから構成されている。図１においてスライド部１ｂを上方へ摺動させることによって、底足１をフックの形状へ変形させることができる。
【００１８】
図２（ａ）に示される本考案のキャリーケース用底足１の一実施例においては、概ね長方形の側面を有する本体部１ａの上方にスライド部１ｂが組み付けられている。図２（ｂ）に示される本考案のキャリーケース用底足１の他の実施例においては、概ねＬ字形の側面を有する本体部１ａの上方にスライド部１ｃが組み付けられている。
【００１９】
図３に示される本考案のキャリーケース用底足１の一実施例においては、スライド部１ｅは、本体部１ａ内に収納されるように本体部１ａに組み付けられていて、該スライド部１ｅが引き出される際に使われる摘み１ｆを外方へ臨ませている。本体部１ａ内に収納されているスライド部１ｅを外方へ引き出して底足１をフックの形状へ変形させる際には、図３の紙面で見て右方向へスライド部１ｅの摘み１ｆを動かすことによって本体部１ａ内から外方へスライド部１ｅを突出させる。
【００２０】
図３（ａ）は、スライド部１ｅが本体部１ａの長手方向に平行に引き出されて突出する実施例を示す。図３（ｂ）は、底足１の接地面１ｄに対して、スライド部１ｅが斜めに引き出されて突出する実施例を示しており、この実施例においては、底足１がフックの形状へ変形された後のスライド部１ｅの先端とキャリーケース本体の一側面６との間の空間が広いのでフックに物を掛け易い。
【００２１】
本考案の一実施例においては、本体部１ａから一旦引き出されたスライド部が意図せずに元の位置へ戻ることがないように、スライド部と本体部１ａとの接触面が粗くつくられていて静止摩擦力が大きいとよい。本考案の他の実施例においては、スライド部が引き出された後に突出位置で固定するための公知のロック機構を備えていて、このロック機構を解除しない限りスライド部が元の位置へ戻らないように構成されている場合もある。
【００２２】
一実施例においては、スライド部が弾性体（コイルバネなど）を使って付勢されていて、底足１からスライド部を引き出してフックの形状へ変形させる際に、スライド部が弾性体の弾性力を受けて底足１から引き出されるように構成されている場合もある。この場合においては、ワンタッチ式に開く傘と同様に、押しボタンを押すことで底足のスライド部が摺動し始めるように構成されているとよい。
【００２３】
図５は、本考案のキャリーケース用底足１のスライド部１ｂが引き出されてフックとして使用されている状態を示す。１つの底足１の本体部１ａから突出したスライド部１ｂに、商品等の入った小袋７の持ち手７ａが引っ掛けられている。
【符号の説明】
【００２４】
１…底足
１ａ…本体部 
１ｂ…スライド部
１ｃ…スライド部
１ｄ…（底足の）接地面
１ｅ…スライド部
１ｆ…摘み（タブ）
２…底足
３…キャスタ
４…キャリーハンドル
５…床面
６…キャリーケース本体の一側面
７…小袋
７ａ…持ち手 
【図１】
0003201092.tif 000003
【図２】
0003201092.tif 000004
【図３】
0003201092.tif 000005
【図４】
0003201092.tif 000006
【図５】
0003201092.tif 000007